(57)【要約】【課題】老人や要介護者などでもスムースな来客応答ができるインターホンシステムを提供する。【解決手段】インターホンシステムは、ドアホン子器と、インターホン親機と、コードレスリモコンとを組み合わせ、コードレスリモコンより、上記インターホン親機に対して、コードレス信号を出力して遠隔制御を可能にした基本構成をなしており、インターホン親機１は、コードレス信号受信部を設けるとともに、壁面に設置されており、コードレスリモコン３は、コードレス信号発信部３０を設けており、インターホン親機１より下方の壁面に取り付けられている。【選択図】図１
2005136525.tif 000002
【特許請求の範囲】
【請求項１】
ドアホン子器と、インターホン親機と、コードレスリモコンとを組み合わせ、コードレスリモコンより、上記インターホン親機に対して、コードレス信号を出力して遠隔制御を可能にしたインターホンシステムにおいて、
上記インターホン親機は、コードレス信号受信部を設けるとともに、壁面に設置されており、
上記コードレスリモコンは、コードレス信号発信部を設けており、上記インターホン親機より下方の壁面に取り付けられている構成にしているインターホンシステム。
【請求項２】
請求項１において、
上記リモコンは、通話機能以外の拡張機能を実行するための操作釦を備えているインターホンシステム。
【請求項３】
請求項１または２において、
上記リモコンは、上記壁面から取り外して使用できる構成としたインターホンシステム。
【請求項４】
請求項１〜３のいずれかにおいて、
上記インターホン親機にはインターホン副親機が更に接続されており、
コードレスリモコンからコードレス信号を受けたときには、上記インターホン親機は制御信号を出力するとともに、上記インターホン副親機は、予め設定されている遅延時間が経過するまでの間、上記インターホン親機または他のインターホン副親機からの制御信号を監視し、
上記遅延時間が経過するまでの間に、上記インターホン親機または他のインターホン副親機からの制御信号を検出したときには、その遅延時間の経過後に、検出した制御信号と同種の制御信号を出力しない構成にしているインターホンシステム。
【請求項５】
請求項１〜３のいずれかにおいて、
上記インターホン親機にはインターホン副親機が更に接続されており、
上記コードレスリモコンからコードレス信号を受けたときには、
上記インターホン親機は、上記インターホン副親機に対して確認信号を送信する一方、上記インターホン副親機は、自己に入力される制御信号を常時監視しており、上記確認信号を受信したとき以前に、上記インターホン親機または他の副親機からの制御信号を検出したときには、検出した制御信号と同種の制御信号を出力しないことを特徴とするインターホンシステム。
【発明の詳細な説明】
【技術分野】
【０００１】
本発明は、ドアホン子器、インターホン親機に、コードレスリモコンを組み合わせ、コードレスリモコンからコードレス信号を出力することで制御する構成のインターホンシステムに関する。
【背景技術】
【０００２】
近時、下記特許文献１に示すようなインターホンシステムが提案されている。このものは、インターホン親機、ドアホン子器を少なくとも組み合わせて構成しており、ドアホン子器からの呼出に対して、インターホン親機と応答通話をしたり、インターホン親機からドアホン子器のカメラを駆動させてそのカメラ映像をモニタリングできるようになっている。
【特許文献１】特開２０００−２２４３１７号公報
【発明の開示】
【発明が解決しようとする課題】
【０００３】
ところで、上記した従来のシステムでは、インターホン親機の操作釦は全て親機本体に設置されており、しかも、ユーザが立った状態で快適操作できる位置に設置されているので、車イスの人、子供、足腰の弱い人などにとっては、操作釦が高い位置にあるので操作しずらいという不都合があった。
また、コードレス信号を出力して親機を制御するコードレスリモコンを対応設置する構成にしてもよいが、リモコンは紛失しやすく、また、ユーザがどこにおいてあるかわからないこともよくあるため、例えば、テレビやエアコンなどの一般家電の場合はリモコンを探す時間が確保できるが、上記したインターホンシステムの場合には、来客からの呼出があったとき、リモコンを探す必要に迫られると、来客を待たせてしまうことにつながり、スムースな応答に支障が生ずる場合があった。
更に、操作釦の中には、電気錠施解錠釦や内線呼出釦など、全てのユーザが使用する必要のないものがあるが、これらの操作釦も親機本体に設けてあり、本体表面の美観という点においては難点があり、これらの操作釦をカバーで隠していたが、操作性が悪かった。
本発明は、上記事情を考慮してなされたものであり、あらゆる人がスムースな来客応答できるようなインターホンシステムを提供することを目的としている。
【課題を解決するための手段】
【０００４】
上記目的を達成するために、本発明の請求項１では、インターホン親機は、コードレス信号受信部を設けるとともに、壁面に設置されており、コードレスリモコンは、コードレス信号発信部を設けており、インターホン親機より下方の壁面に取り付けられている構成にしている。ここに、ドアホン子器、インターホン親機は必ずしも伝送ラインで接続されるものに限定されない。
【０００５】
請求項２では、リモコンは、呼出、応答、通話を少なくとも含む通話機能以外の拡張機能を実行するための操作釦を備えている。
請求項３では、リモコンは、壁面から取り外して使用できる構成とした。
インターホン親機にはインターホン副親機が更に接続されており、
請求項４では、インターホン親機にはインターホン副親機が更に接続されており、コードレスリモコンからコードレス信号を受けたときには、インターホン親機は制御信号を出力するとともに、インターホン副親機は、予め設定されている遅延時間が経過するまでの間、インターホン親機または他のインターホン副親機からの制御信号を監視し、遅延時間が経過するまでの間に、インターホン親機または他のインターホン副親機からの制御信号を検出したときには、その遅延時間の経過後に、検出した制御信号と同種の制御信号を出力しない構成にしている。
【０００６】
請求項５では、インターホン親機にはインターホン副親機が更に接続されており、コードレスリモコンからコードレス信号を受けたときには、インターホン親機は、インターホン副親機に対して確認信号を送信する一方、インターホン副親機は、自己に入力される制御信号を常時監視しており、確認信号を受信したとき以前に、インターホン親機または他の副親機からの制御信号を検出したときには、検出した制御信号と同種の制御信号を出力しないことを特徴とする。
【発明の効果】
【０００７】
本発明の請求項１によれば、インターホン親機は、コードレス信号受信部を設けるとともに、壁面に設置されており、コードレスリモコンは、コードレス信号発信部を設けており、インターホン親機より下方の壁面に取り付けられているから、車イスや子供、足腰の弱いお年よりなど、高い位置に手が届きにくい人でも、インターホン呼出などに容易に対応できるようになり、あらゆる人がスムースな来客応答できるようなインターホンシステムを提供することができる。
【０００８】
また、リモコンは壁面に取り付けられているため、ユーザが来客の際にリモコンを探す必要がなく、来客を待たせることもなく、スムースな来客対応ができる。
【０００９】
請求項２によれば、リモコンは、拡張機能を実行するための操作釦を備えているので、電気錠施解錠釦や内線呼出釦のように、普段頻繁に使用しないような操作釦をリモコン側に設けることで、インターホン本体に多くの釦を配置せずにすみ、外観をすっきりできる。また、釦をカバーで隠して美観を向上する必要がなく、操作性も確保できる。
【００１０】
請求項３によれば、リモコンは、壁面から取り外して使用できるので、操作性を向上できる。
【００１１】
請求項４、５によれば、親機、副親機が同時に、リモコンからのコードレス信号の出力を受けた場合でも、複数の制御信号が衝突することを防止できる。
【発明を実施するための最良の形態】
【００１２】
以下に、本発明の実施の形態について説明する。
【実施例１】
【００１３】
図１は、本発明システムの概略構成の一例について示す図である。
このものは、インターホン親機１とカメラ付ドアホン子器２とを伝送ラインＬを通じて接続している。また、インターホン親機１に対してコードレス信号を出力して制御するコードレスリモコン３を組み合わせている。
【００１４】
インターホン親機１の下部には、コードレス信号受信部（図３参照）を備え、リモコン３の上部にあるコードレス信号発信部３０から出力されるコードレス信号を受信する構成としている。なお、コードレス信号は、例えば、赤外線信号、電波信号を使用できる。
【００１５】
インターホン親機１とリモコン３は、図２のようにして取り付けられる。すなわち、インターホン親機１は壁面Ｗに設置され、それを制御するリモコン３は、親機１同様に壁面Ｗに備え付けられるが、親機１よりも低い位置の壁面Ｗに備え付けられる。
【００１６】
図２の場合、インターホン親機１は、床面Ｆから１４００ｍｍの位置にあり、リモコンはそれよりも低い１０００ｍｍの位置にある。これにより、図示するような車イスの人や、子供、足腰の弱い人、障害をもっている人など、高いところに手が届きにくい人にとっても操作性を確保できる。
また、リモコン３はインターホン親機１の真下にあり、リモコン３上部からインターホン親機１下面へと出力されるため、リモコン３からのコードレス信号が障害物による障害なく、インターホン親機１に出力されることができる。
【００１７】
また、インターホン親機１の設置後に、必要性が生じた場合でも、リモコン３を設置するだけで容易に対応でき、また、リモコン３を設置する高さも状況に応じて自由に設定可能であるため、利便性を高くできる。
更に、このようなリモコン３は、壁面Ｗから取り外して、ユーザが携帯して操作することもできる。例えば、壁面Ｗとリモコン３のそれぞれに磁石を設置して互いに引き合う磁力により壁面Ｗにリモコン３を取り付けるようにして、通常は壁面Ｗに備えておき、随時壁面Ｗから取り外せるようにしておけば、リモコン３を紛失しにくく、来客応答など必要時にリモコン３を容易に探すことができ、操作性にも優れる。
【００１８】
図３は、上記したインターホン親機１の外観構成の一例を示す図である。
ここでは、インターホン親機１の正面、上面、下面、左側面、右側面を示している。正面には、モニタテレビＭとスピーカＳＰ、そして、通話・モニタ釦Ｂ１とを備える。下面には、マイクＭＩとコードレス信号受信部１０とを備える。左側面には、電源スイッチＳＷ１と、モニタテレビＭの輝度を調節する明るさ調節スイッチＳＷ２とを備える。右側面には、呼出音量調節スイッチＳＷ３を備える。
【００１９】
インターホン親機１、リモコン３は、図４に示すような内部構成をしている。
インターホン親機１は、コードレス信号受信部１０を含むコードレス信号受信ブロック１１と、スピーカＳＰとマイクＭＩとを有し、ドアホン子器２との間で伝送ラインＬを通じた通話をするための音声回路ブロック１２と、ドアホン子器２で撮影された映像を表示するためのモニタテレビＭと、これらを統括制御するＣＰＵ１３とを備える。
【００２０】
ＣＰＵ１３は、リモコン３からコードレス信号を受信すると、その制御データの内容を確認し、確認した制御データで規定されている制御種別の処理を行う。例えば、ドアホン子器２からの呼出に対する応答制御データであれば、通話回路ブロック１２により、ドアホン子器２との通話路を形成し、ドアホン子器２との通話状態とする。
【００２１】
一方のリモコン３は、コードレス信号出力部３０を含むコードレス信号発信ブロック３１と、これを制御するＣＰＵ３２と、コードレス信号を出力させるための操作釦Ｂとを備える。なお、操作釦Ｂは、親機１に対する制御種類別に設けることができる。例えば、ドアホン子器２からの呼出に応答して通話するための通話釦や、ドアホン子器２のカメラを駆動させてその映像をモニタリングするためのモニタ釦、親機１に接続付加された電気錠（不図示）を施解錠させるための電気錠施解錠釦などがあり、それぞれの釦操作をＣＰＵ３２が検知すると、制御種別により異なった制御データを含むコードレス信号をコードレス信号発信部３０より出力させる。
【００２２】
このような構成において、リモコン３におけるドアホン子器２からの呼出応答操作時の処理を図５のフローチャートとともに説明する。すなわち、ドアホン子器２が操作され、子器２から呼出制御信号が親機１に送出されると、親機１からは呼出音が出力される（１００）。このとき、親機１からはカメラ駆動制御信号が子器２に送出され、子器２のカメラによって撮影された映像がモニタテレビＭに表示される（１０１）。
【００２３】
そして、ユーザが、リモコン３を操作（この場合、通話釦を操作）すると、リモコン３からは、応答通話制御信号がコードレス信号として出力されるので、これを親機１が受信すると（１０２）、子器２との通話路を形成し、通話状態とする（１０３）。
【００２４】
一方、呼出が開始されてから所定時間（ここでは３０秒）経過しても、リモコン３が操作されないときには（１０２，１０４）、呼出音の出力を停止するとともに、カメラ映像の表示も停止する。
【実施例２】
【００２５】
図６は、本発明システムの概略構成の他例を示す図である。
このシステムでは、親機１には複数のドアホン子器２が接続されている。これらの子器２は、出入口が複数あるような家庭で主に用いられており、例えば、子器２（＃１）はメイン玄関、子器２（＃２）は勝手口、子器２（＃３）はサブ玄関に設置する。
【００２６】
また、親機１には、複数の副親機４が接続されており、これらの副親機４は、部屋が複数あるような家庭で主に用いられ、例えば、親機１は居間、副親機４（＃１）は子供部屋、副親機４（２）は寝室に設置する。
【００２７】
副親機４は、親機１と同様に壁面設置されており、その下部にコードレス信号受信部を設けており、リモコン３からのコードレス信号を受信する構成となっている。
【００２８】
リモコン３には、通話釦Ｂ２、モニタ釦Ｂ３、電気錠施解錠釦Ｂ４、一斉呼出釦Ｂ５、親機呼出釦Ｂ６１と副親機１呼出釦Ｂ６２と副親機２呼出釦Ｂ６３とを有する内線個別呼出釦Ｂ６とを備える。
なお、通話釦Ｂ２、モニタ釦Ｂ３、一斉呼出釦Ｂ５、内線個別呼出釦Ｂ６以外の操作釦は、親機１、副親機２本体には設けていない、いわゆる、呼出、応答、通話についての基本機能のみを操作釦として設けている。
これにより、親機１、副親機２の本体の外観をすっきりできる。また、これに対してリモコン３には、上記した呼出、応答、通話以外の拡張機能を実行させるための操作釦Ｂ４、Ｂ６が設けてあるので、一見してどこに操作釦Ｂ４，Ｂ６がついているかがわかり、従来カバーで覆っていたときのように、釦がどこにあるかわからないという問題が解決でき、操作性、視認性を向上できる。
【００２９】
これらの釦を操作すると、それぞれ異なる制御種別のコードレス信号が出力されるよう、リモコン３のＣＰＵ３２により制御される。通話釦Ｂ２は子器２からの呼出時に操作するものであり、呼出応答制御信号がコードレス信号として出力される。
【００３０】
モニタ釦Ｂ３は、子器２のカメラを駆動してその映像をモニタリングするためのものであり、これを操作すれば、モニタリング制御信号が出力される。
電気錠施解錠釦Ｂ４は、親機１に接続した電気錠（不図示）の施解錠をするためのものであり、これを操作すれば、施解錠制御信号が出力される。
一斉呼出釦Ｂ５は、コードレス信号の出力先となった親機１、副親機２以外の親機１、副親機２をすべて呼び出すためのものであり、これを操作すれば一斉呼出制御信号が出力される。
内線個別呼出釦Ｂ６は、他の親機１、副親機２を個別指定して呼び出すためのものであり、釦Ｂ６１を操作すると親機を呼び出す制御信号が出力され、釦Ｂ６２を操作すると副親機４（＃１）を呼び出す制御信号が出力され、釦Ｂ６３を操作すると副親機４（＃２）を呼び出す制御信号が出力される。
【００３１】
ついで、このような構成のシステムの基本動作を以下に説明する。
リモコン３からコードレス信号を発信すると、親機１、副親機４は、受信したコードレス信号から制御種別を判定する。
例えば、副親機４（＃１）がコードレス信号の受信元となって、内線呼出のためのコードレス信号を出力して、副親機４（＃２）を内線呼出したときには、副親機４（＃１）が副親機４（＃２）に内線呼出制御信号を送り、副親機２（＃２）を呼び出す。
呼出を受けた副親機２（＃２）が受信元となって、リモコン３から応答のためのコードレス信号を受信すれば、副親機２（＃２）は副親機２（＃１）との通話路を形成する。
以上の処理は、副親機４側が制御処理能力を有している場合を示しているが、親機１のみが制御処理能力を有している場合がありうる。これについて説明する。
この場合は、副親機４（＃１）がコードレス信号の受信元となって副親機４（＃２）を内線呼出したときには、副親機４（＃１）が親機１に、副親機４（＃２）を指定した内線呼出制御信号を送り、これを親機１が受けて、親機１より副親機２（＃２）を呼び出す。
【００３２】
呼出を受けた副親機２（＃２）が受信先となってリモコン３から通話釦の操作によってコードレス信号を受信すれば、副親機２（＃２）は親機１に応答制御信号を送り、これを受けた親機１は副親機（＃１）と副親機２（＃２）との通話路を形成する。
【００３３】
図７は、インターホン親機１の内部構成の他例を示す図である。
この親機１は、コードレス信号受信ブロック１１、音声回路ブロック１２、モニタテレビＭ、ＣＰＵ１３（いずれも先述）以外に、子器２（＃１〜３）との接続を切替えるリレー１４を付加している。
ここに、リレー１４は、子器２と親機１、副親機４との間の伝送ラインＬの接続を制御しており、呼出時、応答通話時、モニタリング時などに、ＣＰＵ１３によって切換制御される。
【００３４】
一方の副親機４は、図８に示すような内部構成をしており、コードレス信号受信ブロック４０と、音声回路ブロック４１と、モニタテレビＭと、ＣＰＵ４２とを備える。
【００３５】
このような構成において、本システムは、以下の特徴的な処理をなす。これについて、図９，図１０とともに説明する。
すなわち、図６のシステムでは、システム内の親機１、副親機４に対応して複数のリモコンを使用する場合、また、リモコン３が１つしかなくても、複数の親機１、副親機４が接近している場合には、これらの親機１、副親機４が同時にコードレス信号を受信してしまうことがある。
【００３６】
このような場合、伝送ラインＬ上を同種の制御信号が複数流れることになって互いに衝突してしまうおそれがある。例えば、複数のリモコン３があった場合、副親機４（＃１）から副親機４（＃２）への内線呼出制御信号と、、副親機４（＃２）から副親機４（＃１）への内線呼出制御信号とが、伝送ラインＬ上で衝突するおそれがある。
【００３７】
また、１つのリモコン３しかなくても、複数の親機１、副親機４が同時にコードレス信号を受信したときには、例えば、副親機４（＃２）への内線呼出である場合、副親機４（＃１）から副親機４（＃２）への内線呼出制御信号と、親機１から副親機４（＃２）への内線呼出制御信号とが伝送ラインＬ上で衝突するおそれがある。
そこで、本発明では、これを解決すべく以下の手法がとられている。
請求項４で提案するシステムでは、親機１、副親機４は、リモコン３からのコードレス信号を受信したときには、他の親機１または副親機４への制御信号を出力可能とされているが、副親機４のそれぞれは、親機１とは異なり、自己判別遅延送信機能を備えている。
したがって、リモコン３からのコードレス信号を受信したときには、直ぐに制御信号は出力せずに、遅延時間を設けて、親機１の制御信号の出力タイミングより遅らせて制御信号を出力できるようにしている。
【００３８】
そして、この自己判別遅延送信機能では、それぞれの副親機４は、リモコン３からコードレス信号を受信すると、それぞれに設定した遅延時間が経過するまでの間に伝送ラインＬを監視しており、その遅延時間を経過するまでに、親機１または他の副親機４から、自己が出力すべき制御信号と同種の制御信号を検出しておれば、遅延時間が経過しても、制御信号を出力しないが、その遅延時間が経過するまでの間に、自らが出力すべき制御信号と同種の制御信号が検出されなかった場合のみ、その遅延時間が経過したときに制御信号を出力するようにしている。
【００３９】
これについて、図９を参照して、更に詳しく説明する。すなわち、ここでは、親機１、副親機４（＃１）、副親機４（＃２）という順番で遅延時間を長く設定しており、この条件下で、親機１、副親機４が、コードレス信号を同時に受信した場合には、親機１、副親機４共に制御信号を出力することが可能となるが、親機１は遅延時間が「０」であるから即座に制御信号を出力する。
【００４０】
これに対して副親機４（＃１）、４（＃２）は、各々に設定された遅延時間が経過したときに制御信号が出力できるが、各々の遅延時間の間に、他の親機１または副親機４から制御信号が伝送ラインＬ上で検出されるかどうかを判別する。
【００４１】
そして、設定された遅延時間の間に制御信号の入力があるとすれば、副親機４が出力すべき制御信号が検出した制御信号と同種のものであれば、副親機４からは制御信号の出力をせず、遅延時間の間に、自己が出力すべき制御信号と同種の制御信号を検出しなかった場合のみ、自身から制御信号の出力をする。
【００４２】
このような処理をすることによって、親機１、副親機４が同時に、リモコン３からのコードレス信号を受信した際でも、これを受けた親機、副親機４から同時に同種の制御信号が出力されることがなく、同種の複数の制御信号が伝送ラインＬ上で衝突することを未然に防止できる。
【００４３】
これをフローチャートに示したものが図１０である。
【００４４】
すなわち、副親機４はリモコン３からコードレス信号を受信したときには（１００）、上記自己判別遅延送信機能を実行すべく、タイマをリセットしたあとオンする（１０１）。
【００４５】
そして、タイマがタイムアップして遅延時間が経過するまでに、親機１または他の副親機４から出力される制御信号（副親機４が出力すべき制御信号と同種のもの）が伝送ラインＬ上で検出されれば（１０３）、制御信号を出力しないが、タイムアップするまでの間に、このような制御信号を受けていなければ副親機４は、受信したリモコン３からコードレス信号に応答すべく必要な制御信号を出力する（１０４）。
ついで、請求項５で提案された本発明システムについて説明する。
【００４６】
このシステムでは、インターホン親機１にはインターホン副親機４が更に伝送ラインを通じて接続されている。
【００４７】
すなわち、親機１、副親機４は、リモコン３からのコードレス信号の受信に対して、他の親機１、副親機４への制御信号を出力可能としている。
親機１は、システム内の副親機４に対して、順次確認信号を送信しており、副親機は、コードレスリモコンからコードレス信号を受けた後は、伝送ラインＬ上で送受される制御信号を監視している。
このようなシステムでは、副親機は、自らを指定した確認信号を受信する前に、親機１または他の副親機４からの制御信号（自らが出力すべき制御信号と同種のもの）を検出しなかったときには、自らを指定した確認信号を受信したときに、そのような制御信号を伝送ラインＬ上に出力する動作をなしている。
これについて、詳しく説明する。親機１はリモコン３よりコードレス信号を受ければ、即座に対応する制御信号を出力するが、副親機４は、親機１から制御信号の有無を確認する確認信号を受けるまでは制御信号を出力しない構成にしている。
【００４８】
これに対して、親機１は、定期的に副親機４（＃１，２）を順次指定した確認信号を伝送ラインＬに出力するので、副親機４の応答返信タイミングには遅延が加えられ、副親機４は、自己を指定した確認信号を受信する前に、伝送ラインＬ上で、他の親機１または副親機４からの制御信号（自己が出力すべき制御信号と同種のもの）を検出しておれば、そのような制御信号は出力せず、そうでない場合にのみ制御信号を出力させる。
図１１では、親機１から副親機４には、順次、副親機４を指定した確認信号が出力されており、これに対して、副親機４は、自己のアドレスを指摘された確認信号を受けたときに、ＡＣＫ信号を返信している。
ここで、副親機１から返信されるＡＣＫ：送信データなしとは、自己が確認信号を返信するまでの間に、自己が出力すべき制御信号と同種の制御信号を既に受け取っている場合に親機１へ返信される返信信号を意味しており、自己が制御信号を出す場合には、ＡＣＫ：送信データありの形式で伝送ライン上に制御信号が出力される。
【００４９】
本発明では、このような処理をすることによって、親機１、副親機４が同時に、リモコン３からのコードレス信号を受信した際でも、これを受けた親機、副親機４から同時に同種の複数の制御信号が出力されることがなく、同種の複数の制御信号が伝送ラインＬ上で衝突することを防止できる。
【産業上の利用可能性】
【００５０】
本発明は、ドアホン子器、インターホン親機とを少なくとも組み合わせて構成し、親機を遠隔よりコードレス信号を出力して制御するコードレスリモコンを組み合わせた種々のインターホンシステム、例えば、音声通話のみのインターホンシステム、来客や、住居内の人物の映像を確認できるテレビインターホンシステム、ハンドセットのないハンズフリーインターホンシステムなどに適用できる。
【図面の簡単な説明】
【００５１】
【図１】本発明システムの概略基本構成の一例を示す図
【図２】本発明システムの使用例を説明するための図
【図３】インターホン親機の外観構成の一例を示す図
【図４】インターホン親機、副親機の内部構成の一例を示す図
【図５】本発明システムのインターホンシステムとしての基本動作の一例を示すフローチャート
【図６】本発明システムの概略構成の他例を示す図
【図７】インターホン親機の内部構成の他例を示す図
【図８】インターホン副親機の内部構成の一例を示す図
【図９】副親機の自己判別遅延送信動作を示すタイムチャート
【図１０】図９の基本動作を示すフローチャート
【図１１】本発明システムの更に別の基本動作を示す図
【符号の説明】
【００５２】
１・・・インターホン親機
２・・・ドアホン子器
３・・・コードレスリモコン
４・・・インターホン副親機
１０，４０・・・コードレス信号受信部
３０・・・コードレス信号発信部
Ｂ２・・・操作釦
Ｂ３・・・モニタ釦
Ｂ４・・・電気錠施解錠釦
Ｂ５・・・室内一斉呼出釦
Ｂ６・・・内線個別呼出釦
Ｆ・・・床面
Ｗ・・・壁面
【図１】
2005136525.tif 000003
【図２】
2005136525.tif 000004
【図３】
2005136525.tif 000005
【図４】
2005136525.tif 000006
【図５】
2005136525.tif 000007
【図６】
2005136525.tif 000008
【図７】
2005136525.tif 000009
【図８】
2005136525.tif 000010
【図９】
2005136525.tif 000011
【図１０】
2005136525.tif 000012
【図１１】
2005136525.tif 000013